(57)【要約】      （修正有）【課題】商品販売業者が販売したい商品を確実に閲覧させ、決済処理可能なショッピングシステムを提供する。【解決手段】複数の商品販売業者が商品を登録する商品登録手段と、登録された商品を管理する商品管理装置と、登録された商品データを配信する商品配信装置と、商品配信装置から通信を介して商品データを取得し携帯端末に商品データを蓄積する商品データ蓄積装置と、携帯電話が省電力モードからアクティブモードに切り替わるタイミングで蓄積された商品データを再生する再生装置と、アクティブモードでの再生商品切り替え手段と、商品購入のための決済手段と、決済手段を簡素化するための会員登録手段と会員登録時に取得するユーザー属性及び発行する会員ＩＤなどを管理する会員管理装置と、携帯端末を利用するユーザーが決済した商品名、金額などの購入情報を登録する決済商品登録装置等を備えることを特徴としたシステム。【選択図】図１
2007164742.tif 000002
【特許請求の範囲】
【請求項１】
複数の商品販売業者が商品を登録する商品登録手段と、登録された商品を管理する商品管理装置と、登録された商品データを配信する商品配信装置と、商品配信装置から通信を介して商品データを取得し携帯端末に商品データを蓄積する商品データ蓄積装置と、携帯電話が省電力モードからアクティブモードに切り替わるタイミングで蓄積された商品データを再生する再生装置と、アクティブモードでの再生商品切り替え手段と、商品購入のための決済手段と、決済手段を簡素化するための会員登録手段と会員登録時に取得するユーザー属性及び発行する会員ＩＤなどを管理する会員管理装置と、商品データから商品販売事業者（商品登録者）サーバにアクセスする手段と商品販売事業者（商品登録者）サーバへのアクセス有無を判断する経由装置と、携帯端末を利用するユーザーが決済した商品名、金額などの購入情報を登録する決済商品登録装置と、携帯端末を利用するユーザーに決済した見返りとして付与するインセンティブを管理するインセンティブ管理装置を備えることを特徴としたシステム
【請求項２】
前記商品登録手段は、通信手段を有する端末を利用して前記会員管理装置で管理される属性を選択可能な登録手段
【請求項３】
前記商品登録手段は、商品販売ページに対してのアクセス要求を判断し、携帯端末のメモリーに保持されるアクセス要求回数をインクリメントする装置
【請求項４】
前記商品登録手段は、保持されるインクリメントされた各々の回数に応じて、または商品販売事業者の要望に応じて再生する広告データの優先順位を決定し、抽出を行い、再生する装置
【請求項５】
前記商品登録手段は、商品販売事業者のサーバにアクセスする前に経由し、アクセス要求元のユーザーとアクセス先の広告主を判断し、アクセス元のユーザーにインセンティブ付与する手段を有する装置
【請求項６】
前記会員登録装置は、会員登録時に取得するユーザー属性の項目を自由に設定できる装置
【発明の詳細な説明】
【技術分野】
【０００１】本発明は、通信機能を有する携帯端末に対してのショッピングモールシステム及び決済手数料徴収システム関するものである。
【背景技術】
【０００２】従来、通信機能を有する携帯端末のブラウザー上で商品購入など決済処理まで可能なシステムは存在する。【０００３】また、携帯端末上で複数の販売事業者が商品を出品してブラウザー上で決済させるショッピングモールシステムは存在する。【０００４】また、携帯端末ユーザーが商品購入決済の対価として手数料を支払うサービスは存在する。
【発明の開示】
【発明が解決しようとする課題】
【０００５】しかしながら従来のシステムでは、ユーザーが決済処理をするためには、ＷＥＢサイトにアクセスし商品を選択して決済処理させる仕組みであり、ユーザーを能動的にアクセスさせる必要があった。【０００６】また、上記に加え、携帯電話のＷＥＢサイトなどでは決済処理に進むまでに、商品リストをサムネイルなどで選択し商品詳細を閲覧などページ切り替え遷移などに対して通信を必要とした。【０００７】また、数多くのＥＣサイトから自分の気になるジャンルの商品を扱う店舗を探し、その店舗のサイトに訪問した後も検索やカテゴリーから辿り着くなど目的の商品に辿り着くまでの繊維に問題があった。【０００８】また、商品販売事業者は、商品を携帯端末上で販売する場合、電子商取引サイトを開設するもしくは電子商取引ＡＳＰサービスを利用するか、ショッピングモールに出店するか、オークション形式にて出品する選択肢しかなかった。【０００９】本発明の課題は、通信機能を有する携帯端末に対して商品販売業者（商品登録者）が販売したい商品を確実に閲覧させることであり、閲覧後、商品を簡単な決済処理によって決済処理をさせることもしくは商品販売事業者（商品登録者）のサーバにアクセスさせることで決済させることであり、商品販売事業者（商品登録者）が販売したい商品を商品単位で出品できることであり、商品販売事業者がシステム開発コストやＡＳＰサービス利用費用ではなく安価な料金で携帯端末ユーザー向けに商品を出品させることである。
【課題を解決するための手段】
【００１０】上記の問題を解決するため本発明では、複数の商品販売業者が商品を登録する商品登録手段と、登録された商品を管理する商品管理装置と、登録された商品データを配信する商品配信装置と、商品配信装置から通信を介して商品データを取得し携帯端末に商品データを蓄積する商品データ蓄積装置と、携帯電話が省電力モードからアクティブモードに切り替わるタイミングで蓄積された商品データを再生する再生装置と、アクティブモードでの再生商品切り替え手段と、商品購入のための決済手段と、決済手段を簡素化するための会員登録手段と会員登録時に取得するユーザー属性及び発行する会員ＩＤなどを管理する会員管理装置と、商品データから商品販売事業者（商品登録者）サーバにアクセスする手段と商品販売事業者（商品登録者）サーバへのアクセス有無を判断する経由装置と、携帯端末を利用するユーザーが決済した商品名、金額などの購入情報を登録する決済商品登録装置と、携帯端末を利用するユーザーに決済した見返りとして付与するインセンティブを管理するインセンティブ管理装置を備えることを特徴としたシステムである。【００１１】また、例えば、前記広告登録手段は、会員管理装置で管理するユーザーの属性項目を選択することで商品を配信するターゲットのユーザー属性を絞りこむ手段を備えてもよい。【００１２】また、例えば、前記商品データを蓄積する商品データ蓄積装置は、商品配信装置から取得し蓄積するタイミングとして定期的に自動で蓄積する手段、及び手動にて商品配信装置に要求する手段を備える装置としてもよい。【００１３】また、例えば、商品データ蓄積装置と商品再生装置は、ひとつの装置として備えるシステムとしてもよい。【００１４】また、例えば、商品データ再生のタイミングとして携帯端末が省電力モードからアクティブモードに切り替わるタイミング以外にも再生する手段を備えてもよい。【００１５】また、例えば、商品データ再生の方法として、１商品データではなく複数商品データを同時に再生または表示してもよい。【００１６】また、例えば、配信ターゲットのユーザー属性を絞り込むために、会員管理装置のユーザー属性以外に他の方法で取得した属性データと結びつける構成としてもよい。【００１７】また、例えば、携帯端末ユーザーが決済した場合に、携帯端末ユーザーにインセンティブを付与してもよい。【００１８】また、例えば、インセンティブとして付与する実体として携帯電話機の通話料金支払いへの利用や、電子商取引での利用に変換できるポイントなどとしてもよい。
【発明の効果】
【００１９】本発明によれば、通信機能を有する携帯端末を利用するユーザーに対して商品を販売する商品販売事業者は、商品の配信ターゲットのユーザー属性を絞り込むことが可能であり、また省電力モードからアクティブモードに切り替わるタイミング（例えば携帯電話のフリップを開くタイミング）で商品データが携帯端末上に再生・表示されるため、確実に商品を紹介することができ、商品宣伝効果を高めることができる。また予め商品データを携帯端末に蓄積させるので商品データ再生時に通信を利用する必要がなく通信圏外などにおいても確実に商品を閲覧させることができ、複数の商品を切り替え手段のみで閲覧させることができ、決済手段を有するため商品閲覧から決済までを簡単な操作のみで実現できる。また、携帯端末を利用するユーザーは決済（商品を購入）した時点でインセンティブを付与されるため決済の決断を後押しすることができる。また、商品販売事業者は、安価な出品料金と決済手数料、携帯端末を利用するユーザーへのインセンティブ料支払いとなるため、商品販売機会を増加することができる。
【発明を実施するための最良の形態】
【００２０】本発明の実施形態として、図１に全体構成を示す。【００２１】図１に示すように、本実施の形態のシステムは、通信機能を有する携帯端末１０と、その携帯端末１０に設置（インストール）する商品データの蓄積手段と商品を再生する商品再生手段、商品切り替え手段、決済手段をそなえる商品再生及び決済装置２０としてのアプリケーションと、商品再生及び決済装置２０を利用するために会員登録する手段を有しユーザー属性を管理する会員管理装置としての会員管理サーバ５０と、商品販売事業者１００が商品を登録する手段を有する商品管理装置としての商品管理サーバ６０と、商品配信装置としての商品配信サーバ３０と、商品再生及び決済装置２０での決済及び商品販売業者サーバ４０にて決済された際に商品名、金額などの購入情報を登録する決済商品登録装置としての決済情報管理サーバ８０と商品再生及び決済装置２０から商品販売事業者サーバ４０へのアクセス有無を判断し決済情報管理サーバ８０に仮登録する手段を有する経由サーバ７０と携帯端末１０を利用するユーザーに対して決済の見返りとして付与するインセンティブを管理するインセンティブ管理サーバ９０で構成される。【００２２】携帯端末１０は、通信機能を有する携帯端末の代表として携帯電話機を図に示したものであり、携帯端末以外に携帯可能な端末、例えばＰＤＡ、携帯可能なＰＣ、携帯可能なゲーム機、携帯可能な音楽及び動画プレイヤーなどとしてもよい。【００２３】商品販売事業者１００が商品を登録するクライアントとなるマシンは代表として携帯可能なＰＣを図で示したものであり、通信可能な端末機などとしてもよい。【００２４】商品販売事業者１００は、商品登録手段を有する商品管理サーバ６０にアクセスし、商品を閲覧させるターゲットユーザー及び携帯端末１０が会員登録時に選択したジャンルを選択し登録する商品データ（商品名、販売価格、商品画像など）を登録する。【００２５】次に、図２を参照して携帯端末１０に設置される商品再生及び決済装置２０（アプリケーション）の商品データ蓄積処理を説明する。商品再生及び決済装置２０（アプリケーション）は、定期的に、例えば６時間に一度、商品配信サーバ３０に商品データ取得要求を送信する。商品配信サーバ３０は、商品再生及び決済装置２０（アプリケーション）から送出される会員ＩＤなどをキーに会員管理サーバ５０から属性及び登録商品ジャンルを抽出し、その属性データをキーに商品管理サーバ６０から属性に見合う複数の商品データを取得し携帯端末１０に送信する。次に応答を受けた広告再生及び決済装置２０（アプリケーション）は、メモリ上などに商品データを蓄積（記憶）させる。【００２６】次に、図３を参照して携帯端末１０が省電力モードからアクティブモードに切り替わる際、蓄積された商品データを抽出し再生する処理について説明する。携帯端末１０が省電力モードからアクティブモードに切り替わるタイミング、例えば携帯端末１０のフリップが開くイベントを商品再生及び決済装置２０（アプリケーション）が検知し、携帯端末１０のメモリもしくは商品再生及び決済装置２０（アプリケーション）のメモリに蓄積された商品データから抽出（選択）し再生する。【００２７】次に、図４を参照して商品再生及び決済装置２０（アプリケーション）にて決済した場合の処理について説明する。商品再生及び決済装置２０（アプリケーション）にて決済完了（商品購入完了）した時点で決済情報管理サーバ８０に購入した商品の情報を登録し決済情報管理サーバ８０はインセンティブ管理サーバ９０に決済金額に応じたインセンティブを付与する。【００２８】次に、図５を参照して商品再生及び決済装置２０（アプリケーション）にて商品選択後、商品販売事業者のサーバ４０にて決済した場合の処理について説明する。商品再生及び決済装置２０にて商品を選択し購入意思を決定するボタンなどを押下することにより経由サーバ７０を経由する。その際経由サーバ７０は、ユーザー及び商品に振られた商品ＩＤを決済情報管理サーバ８０に対して仮登録する。商品販売事業者サーバ４０にて決済が完了すると商品販売事業者サーバ４０は決済情報管理サーバ８０に対してユーザー及び商品に振られた商品ＩＤを参照し仮登録されている場合決済情報管理サーバ８０の仮登録を本登録データとして登録（更新）する。決済情報管理サーバ８０はインセンティブ管理サーバ９０に決済金額に応じたインセンティブを付与する。【００２９】次に、商品蓄積手段を備えた商品再生装置２０（アプリケーション）を利用するために、携帯端末１０を利用するユーザーは会員登録する。会員登録は会員管理サーバ５０にアクセスすることで必要な属性データの入力を実施する。会員登録後、商品再生装置２０（アプリケーション）を携帯端末にダウンロードさせる方法か、予め携帯端末に商品再生装置をインストールし、初回起動時に会員登録を促す方法どちらでも可能とする。また会員登録にて取得した属性データは、会員管理サーバ５０に記録する。
【図面の簡単な説明】
【００３０】
【図１】システム全体構成図
【図２】商品データ蓄積処理シーケンス
【図３】商品データ再生シーケンス
【図４】アプリケーションでの決済シーケンス
【図５】商品販売事業者サーバでの決済シーケンス
【符号の説明】
【００３１】１０  通信機能を有する携帯端末
２０  商品再生及び決済装置（アプリケーション）
３０  商品配信サーバ
４０  商品販売事業者サーバ
５０  会員管理サーバ
６０  商品管理サーバ
７０  経由サーバ
８０  決済情報管理サーバ
９０  インセンティブ管理サーバ
１００  商品販売事業者（販売商品出品者）
【図１】
2007164742.tif 000003
【図２】
2007164742.tif 000004
【図３】
2007164742.tif 000005
【図４】
2007164742.tif 000006
【図５】
2007164742.tif 000007